(57)【要約】【課題】  土地の有効活用を図ることのできる太陽光発電システムを提供する。【解決手段】  太陽光発電システム１は、架台１０、及び耕作用領域２０を備えている。架台１０は、地面に設置されている。架台１０には、太陽光パネル４０が取り付けられる。耕作用領域２０は、農作物を栽培するための領域であり、太陽電池パネル４０により覆われる空間に設けられている。【選択図】  図１
0003183330.tif 000002
【実用新案登録請求の範囲】
【請求項１】
地面に設置され、太陽電池パネルが取り付けられる架台と、
前記架台に取り付けられる前記太陽電池パネルにより覆われる空間に設けられ、農作物を栽培するための耕作用領域と、
を備えることを特徴とする太陽光発電システム。
【請求項２】
請求項１に記載の太陽光発電システムにおいて、
電気的に制御され、前記耕作用領域で栽培される前記農作物に対して自動で散水する散水装置を備え、
前記散水装置は、前記架台に取り付けられる前記太陽電池パネルから発生する電気によって制御される太陽光発電システム。
【考案の詳細な説明】
【技術分野】
【０００１】
本考案は、太陽光発電システムに関する。
【背景技術】
【０００２】
近年、多数の太陽電池アレイが設けられたメガソーラーと呼ばれる大規模な発電施設の建設が増えてきている。かかる施設に設置される太陽光発電システムとしては、例えば特許文献１に記載されたものがある。同文献に記載の太陽光発電システムにおいては、鉄筋コンクリート製の架台上に、鋼管等の支持材を介して太陽電池パネルが取り付けられている。架台は、施工地において型枠内にコンクリートを流し込んで形成される。
【特許文献１】特開２００７−３５８４９号公報
【考案の概要】
【考案が解決しようとする課題】
【０００３】
このようなメガソーラーを建設するには、広大な土地が必要となる。しかしながら、国土は限られた貴重な資源であるから、メガソーラーの建設にあたっては土地の有効活用を図ることが肝要である。
【０００４】
本考案は、上記課題に鑑みてなされたものであり、土地の有効活用を図ることのできる太陽光発電システムを提供することを目的とする。
【課題を解決するための手段】
【０００５】
本考案による太陽光発電システムは、地面に設置され、太陽電池パネルが取り付けられる架台と、上記架台に取り付けられる上記太陽電池パネルにより覆われる空間に設けられ、農作物を栽培するための耕作用領域と、を備えることを特徴とする。
【０００６】
この太陽光発電システムにおいては、架台に取り付けられる太陽電池パネルにより覆われる空間に、農作物を栽培するための耕作用領域が設けられている。これにより、太陽電池パネルの下部空間において農作物を栽培することができるようになるため、当該土地を有効活用することができる。
【０００７】
また、本考案による太陽光発電システムは、電気的に制御され、上記耕作用領域で栽培される上記農作物に対して自動で散水する散水装置を備え、上記散水装置は、上記架台に取り付けられる上記太陽電池パネルから発生する電気によって制御されてもよい。この場合、太陽電池パネルで生成される電気を利用して、農作物への水やりを自動化することができる。
【考案の効果】
【０００８】
本考案によれば、土地の有効活用を図ることのできる太陽光発電システムが実現される。
【図面の簡単な説明】
【０００９】
【図１】本考案による太陽光発電システムの一実施形態を示す斜視図である。
【図２】本考案による太陽光発電システムの変形例を説明するための側面図である。
【考案を実施するための形態】
【００１０】
以下、図面を参照しつつ、本考案の実施形態について詳細に説明する。なお、図面の説明においては、同一要素には同一符号を付し、重複する説明を省略する。
【００１１】
図１は、本考案による太陽光発電システムの一実施形態を示す斜視図である。太陽光発電システム１は、架台１０、耕作用領域２０、及び散水装置３０を備えている。
【００１２】
架台１０は、土が剥き出しになった地面に設置されている。架台１０には、太陽光パネル４０が取り付けられる。図１においては、架台１０に太陽電池パネル４０が取り付けられた状態を示している。本実施形態においては、１つの架台１０に複数の太陽電池パネル４０が取り付けられており、これらの太陽電池パネル４０により太陽電池アレイが形成されている。架台１０は、例えば複数の鋼管を組むことにより形成され、太陽電池パネル４０を支持するのに充分な強度を有している。架台１０は、所定の傾斜角（例えば水平面から２５°）をもたせて太陽電池パネル４０を支持する。
【００１３】
耕作用領域２０は、農作物を栽培するための領域であり、太陽電池パネル４０により覆われた空間、すなわち太陽電池パネル４０の下部空間に設けられている。耕作用領域２０を構成する土は、畑の土のように耕されている。また、耕作用領域２０を構成する土には、必要に応じて肥料が施される。耕作用領域２０で栽培される農作物は、日当たりが良好でなくとも発育に支障がない農作物であることが好ましい。かかる農作物としては、例えば、ミント、みょうが、もやし等が挙げられる。
【００１４】
散水装置３０は、電気的に制御され、耕作用領域２０で栽培される農作物に対して自動で散水する。本実施形態において散水装置３０は、地面に設置されている。詳細には、散水装置３０は、耕作用領域２０の外側（すなわち太陽電池パネル４０により覆われていない空間）に設置されている。散水装置３０には、図示しないホース等の管を通じて水が供給される。散水装置３０を制御するための電気は、図示しないケーブルを通じて、太陽電池パネル４０から供給される。すなわち、散水装置３０は、太陽電池パネル４０から発生する電気によって制御される。散水装置３０は、例えばスプリンクラーである。
【００１５】
散水装置３０は、例えば、所定の時間間隔で散水するように制御される。また、散水装置３０は、散水の時間間隔や１回あたりの散水量が、太陽電池パネル４０の発電量に応じて変化するように制御されてもよい。具体的には、太陽電池パネル４０の発電量が多いときは、日差しが強く耕作用領域２０の土が乾燥し易くなるため、散水装置３０による散水の時間間隔を短くしたり、１回あたりの散水量を増やしたりしてもよい。
【００１６】
続いて、太陽光発電システム１の効果を説明する。太陽光発電システム１においては、架台１０に取り付けられる太陽電池パネル４０により覆われる空間に、農作物を栽培するための耕作用領域２０が設けられている。これにより、太陽電池パネル４０の下部空間において農作物を栽培することができるようになるため、当該土地を有効活用することができる。
【００１７】
さらに、耕作用領域２０が太陽電池パネル４０により覆われる空間に設けられているため、耕作用領域２０に入射しようとする直射日光を太陽電池パネル４０によって遮断することができる。このため、耕作用領域２０は、日当たりを好まない農作物を栽培するのに特に好適である。
【００１８】
また、太陽電池パネル４０から発生する電気によって制御される散水装置３０が設けられている。このため、太陽電池パネル４０で生成される電気を利用して、農作物への水やりを自動化することができる。これにより、水やりの手間を省くことができるとともに、水やりを忘れるのを防ぐことができる。また、太陽電池パネル４０で生成される電気を利用するため、太陽光発電システム１の他に電源を用意する必要がないという利点もある。
【００１９】
本考案による太陽光発電システムは、上記実施形態に限定されるものではなく、様々な変形が可能である。例えば、上記実施形態においては、散水装置３０が耕作用領域２０の外側に設けられた例を示した。しかし、散水装置３０は、耕作用領域２０の内側に設けられてもよい。
【００２０】
また、上記実施形態においては、散水装置３０が地面に設置された例を示した。しかし、散水装置３０は、図２に示すように、耕作用領域２０の上方に設置されてもよい。同図においては、太陽電池パネル４０の裏面側に散水装置３０が取り付けられている。詳細には、架台１０を構成する鋼管のうち、太陽電池パネル４０の裏面に沿って延在する鋼管１０ａに散水装置３０が取り付けられている。
【００２１】
上記実施形態においては、散水装置３０が設けられた例を示した。しかし、散水装置３０を設けることは必須ではない。
【００２２】
上記実施形態においては、太陽電池パネル４０で覆われる空間にのみ耕作用領域２０が設けられた例を示した。しかし、耕作用領域２０は、太陽電池パネル４０で覆われる空間の内側だけでなく、その外側にも設けられていてもよい。すなわち、耕作用領域２０は、太陽電池パネル４０で覆われる空間の内側から外側まで広がっていてもよい。
【符号の説明】
【００２３】
１  太陽光発電システム
１０  架台
２０  耕作用領域
３０  散水装置
４０  太陽電池パネル
【図１】
0003183330.tif 000003
【図２】
0003183330.tif 000004